(57)【要約】【課題】  コンパクトにできる。放電ユニットを取り外した状態で給電側端子、接地側端子に指を触れても安全である。放電ユニットを取付けた状態でナノサイズの帯電微粒子水を浴室内に放出して脱臭及びカビ発生防止をする。【解決手段】  浴室１内に配設される高電圧発生部４０を有する本体ケース１１に放電ユニット取付け部１５を設ける。液溜め部２４を有する放電ユニット取付け部１５に放電ユニット１４を着脱自在に取付けると共に取付け状態で給電側端子１９、接地側端子２０に電極側端子２８、２９を接触させる。放電ユニット１４の着脱状態を認識して放電ユニット１４が取付けられた状態で高電圧発生部４０から高電圧を供給し且つ放電ユニット１４が外れた状態で高電圧発生部４０からの高電圧の供給を停止する着脱認識部６０を設ける。【選択図】      図１
2005226947.tif 000002
【特許請求の範囲】
【請求項１】
浴室内に配設される高電圧発生部を有する本体ケースに放電ユニット取付け部を設け、該放電ユニット取付け部に高電圧発生部の給電側端子と接地側端子とを設け、液溜め部と、液溜め部より液を搬送する多数の細径孔を有する多孔質材からなる搬送部と、搬送部による液の搬送方向に対向するように配置された対向電極と、液溜め部から搬送部の対向電極側先端に至る経路中の液に電圧を印加するための液印加電極とを備えた放電ユニットに、対向電極及び液印加電極の各電極側端子を設け、本体ケースの放電ユニット取付け部に放電ユニットを着脱自在に取付けると共に放電ユニットの取付け状態で給電側端子、接地側端子にそれぞれ電極側端子が接触するように構成し、放電ユニット取付け部への放電ユニットの着脱状態を認識して放電ユニットが放電ユニット取付け部に取付けられた状態で高電圧発生部から高電圧を供給し且つ放電ユニットが放電ユニット取付け部から外れた状態で高電圧発生部からの高電圧の供給を停止する着脱認識部を設けて成ることを特徴とする浴室用静電霧化装置。
【請求項２】
本体ケースに外部に対して水密的に密閉された状態でリードスイッチを内装し、放電ユニットに外部に対して水密的に密閉された状態で磁石を内装し、上記リードスイッチと磁石により着脱認識部を構成し、放電ユニット取付け部への放電ユニットが取付けられた状態で磁石によりリードスイッチをオンにして高電圧発生部から高電圧を供給し且つ放電ユニット取付け部から放電ユニットが取り外された状態でリードスイッチがオフとなって高電圧発生部から高電圧の供給を停止して成ることを特徴とする請求項１記載の浴室用静電霧化装置。
【請求項３】
放電ユニットを、搬送部と、対向電極と、液印加電極と、電極側端子を備えたユニット本体と、液溜め部とで構成し、液溜め部をユニット本体に対して着脱自在に取付けて成ることを特徴とする請求項１又は請求項２記載の浴室用静電霧化装置。
【発明の詳細な説明】
【技術分野】
【０００１】
本発明は、静電霧化で生じたナノサイズの帯電微粒子水（ナノサイズのミスト）により浴室内におけるカビの発生を防止し且つ脱臭をするための浴室用静電霧化装置に関するものである。
【背景技術】
【０００２】
従来から浴室内におけるカビの発生を抑制するために、浴室に放電によりイオンを発生させるためのイオン発生装置を配置し、イオン発生装置で発生させたイオンを浴室空間に放出してカビの繁殖を防止するようにしたものが、例えば、特許文献１により知られている。
【０００３】
上記従来例にあっては、浴室内にイオンを放出するものであるから、イオンは滞空時間が長くても数分（２〜３分）であって、イオンによる浴室内におけるカビ発生の抑制効果が十分であるとは言えない。つまり、浴室内に放出されたイオンは水を伴っていないので空気中の他の物質とすぐ結合して別の物に変わったり、自然消滅してしまうものであり、このため、浴室内に浮遊するカビの胞子を顕著に減らすことができず、この結果、浴室の壁や床に付着した水や湯の近傍でカビが繁殖するのを十分に防ぐことができないという問題がある。
【０００４】
一方、居間や寝室に配置される空気浄化装置に静電霧化装置を設け、液印加電極と対向電極との間に高電圧を印加してラジカルを有するナノサイズの帯電微粒子水を発生させ、ラジカルを有するナノサイズの帯電微粒子水により臭いを除去するものが特許文献２により知られている。
【０００５】
ところが、上記特許文献２に示されたものは、居間や寝室に配置される空気浄化装置に静電霧化装置を設けたものに過ぎず、水が直接かかったり、結露水が発生する浴室に配置する静電霧化装置に関するものは未だ提供されていない。
【０００６】
しかも、上記特許文献２に示された静電霧化装置は液溜め部に液を供給するための別途供給タンクを必要とし、その分、装置全体が大きくなる。
【０００７】
そこで、本発明者は本発明に至る過程で、高電圧発生部を有する本体ケースに放電ユニット取付け部を設け、該放電ユニット取付け部に高電圧発生部の給電側端子と接地側端子とを設け、液溜め部より液を搬送する多数の細径孔を有する多孔質材からなる搬送部と、搬送部による液の搬送方向に対向するように配置された対向電極と、液溜め部から搬送部の対向電極側先端に至る経路中の液に電圧を印加するための液印加電極とを備えた放電ユニットに、対向電極及び液印加電極の各電極側端子を設け、本体ケースの放電ユニット取付け部に放電ユニットを着脱自在に取付けると共に放電ユニットの取付け状態で給電側端子と接地側端子にそれぞれ電極側端子が接触するように構成し、放電ユニットを取り外すことで液溜め部に水を供給できるようにし、これにより装置全体をコンパクト化することを考えた。ところが、このように放電ユニットを着脱自在とするものにおいては、放電ユニットを取り外した際に、本体ケースの放電ユニット取付け部に給電側端子と接地側端子とが露出し、給電側端子、接地側端子に手を触れた場合の安全性に問題があり、また、浴室に設置した場合、取外した状態で給電側端子、接地側端子に水がかかって給電側端子、接地側端子間が短絡したりするという問題があることが判明した。
【特許文献１】特開２００３−１５６２２０号公報
【特許文献２】特開２００３−７９７１４号公報
【発明の開示】
【発明が解決しようとする課題】
【０００８】
本発明は上記の従来の問題点に鑑みて発明したものであって、液溜め部への水のような液の供給が簡単にできると共に装置をコンパクトにでき、しかも、放電ユニットを取り外した状態で給電側端子、接地側端子に手や指を触れても安全であり、また、放電ユニットを取り外した状態で短絡したりすることがなく、放電ユニットを取付けた状態でのみ、安全に高電圧を印加してナノサイズの帯電微粒子水を浴室内に放出して効果的に浴室内における臭いの除去とカビの発生防止ができる浴室用静電霧化装置を提供することを課題とするものである。
【課題を解決するための手段】
【０００９】
上記課題を解決するために本発明に係る浴室用静電霧化装置は、浴室１内に配設される高電圧発生部４０を有する本体ケース１１に放電ユニット取付け部１５を設け、該放電ユニット取付け部１５に高電圧発生部４０の給電側端子１９と接地側端子２０とを設け、液溜め部２４と、液溜め部２４より液を搬送する多数の細径孔を有する多孔質材からなる搬送部２５と、搬送部２５による液の搬送方向に対向するように配置された対向電極２６と、液溜め部２４から搬送部２５の対向電極２６側先端に至る経路中の液に電圧を印加するための液印加電極２７とを備えた放電ユニット１４に、対向電極２６及び液印加電極２７の各電極側端子２８、２９を設け、本体ケース１１の放電ユニット取付け部１５に放電ユニット１４を着脱自在に取付けると共に放電ユニット１４の取付け状態で給電側端子１９、接地側端子２０にそれぞれ電極側端子２８、２９が接触するように構成し、放電ユニット取付け部１５への放電ユニット１４の着脱状態を認識して放電ユニット１４が放電ユニット取付け部１５に取付けられた状態で高電圧発生部４０から高電圧を供給し且つ放電ユニット１４が放電ユニット取付け部１５から外れた状態で高電圧発生部４０からの高電圧の供給を停止する着脱認識部６０を設けて成ることを特徴とするものである。
【００１０】
このような構成とすることで、高電圧発生部４０を有する本体ケース１１から、液溜め部２４、搬送部２５、対向電極２６、液印加電極２７を有する放電ユニット１４を取り外すことで、放電ユニット１４に設けた液溜め部２４に水のような液を供給できるものであって、別途、液溜め部２４に水のような液を供給するための供給タンクを組み込む必要がないので、装置をコンパクト化できるものであり、しかも、このように、放電ユニット１４を着脱自在な構成として水のような液の供給が簡単にできるようにしたにも係わらず、放電ユニット１４の取外しを着脱認識部６０により認識して高電圧発生部４０からの高電圧の供給を停止することで、放電ユニット取付け部１５に露出する給電側端子１９、接地側端子２０に手や指を触れても安全であり、また、取り外した状態で水がかかったり、結露水の発生により給電側端子１９、接地側端子２０間が短絡することがなく、一方、放電ユニット１４を取付けた状態でのみ、安全に高電圧を印加してナノサイズの帯電微粒子水を浴室内に放出して効果的に浴室内における臭いの除去をすると共に、浴室内に浮遊するカビの胞子を顕著に減らすことができ、この結果、浴室の壁や床に付着した水や湯の近傍でカビが繁殖するのを十分に防ぐことができる。
【００１１】
また、本体ケース１１に外部に対して水密的に密閉された状態でリードスイッチ４１を内装し、放電ユニット１４に外部に対して水密的に密閉された状態で磁石４４を内装し、上記リードスイッチ４１と磁石４４により着脱認識部６０を構成し、放電ユニット取付け部１５への放電ユニット１４が取付けられた状態で磁石４４によりリードスイッチ４１をオンにして高電圧発生部４０から高電圧を供給し且つ放電ユニット取付け部１５から放電ユニット１４が取り外された状態でリードスイッチ４１がオフとなって高電圧発生部４０から高電圧の供給を停止することが好ましい。
【００１２】
このような構成とすることで、リードスイッチ４１と磁石４４により簡単な構成で放電ユニット１４の着脱を認識して高電圧を供給したり停止したりするための着脱認識部６０を構成できるものであり、しかも、リードスイッチ４１、磁石４４とも外部から水が浸入しないような水密構造となっているので、リードスイッチ４１の誤動作がなく、特に、リードスイッチ４１に水が浸入しない構造としただけでなく、磁石４４にも水が浸入しない構造となっていることで、静電霧化装置２を水がかかる浴室１で使用すると言えども磁石４４に水がかかることによる磁力変動による誤検知や、錆の発生による磁力低下を防止することができ、高品質化を持続できて着脱認識部６０による着脱の認識が長期間にわたって正確にできるものである。
【００１３】
また、放電ユニット１４を、搬送部２５と、対向電極２６と、液印加電極２７と、電極側端子２８、２９を備えたユニット本体１８と、液溜め部２４とで構成し、液溜め部２４をユニット本体１８に対して着脱自在に取付けることが好ましい。
【００１４】
このような構成とすることで、放電ユニット１４を取り外して液溜め部２４に水のような液を供給する際、ユニット本体１８から液溜め部２４を取り外すことで、液溜め部２４内に簡単に液の供給ができるものである。
【発明の効果】
【００１５】
本発明は、高電圧発生部を有する本体ケースから、液溜め部、搬送部、対向電極、液印加電極を有する放電ユニットを取り外すことで、放電ユニットに設けた液溜め部に水のような液を供給できるものであって、別途、液溜め部に水のような液を供給するための供給タンクを組み込む必要がないので、装置をコンパクト化できるものであり、しかも、このように、放電ユニットを着脱自在な構成として水のような液の供給が簡単にできるようにしたにも係わらず、放電ユニットの取外しを着脱認識部により認識して高電圧発生部からの高電圧の供給を停止することで、放電ユニット取付け部に露出する給電側端子、接地側端子に手や指を触れても安全であり、また、取り外した状態で水がかかったり、結露水の発生により給電側端子、接地側端子間が短絡することがなく、一方、放電ユニットを取付けた状態でのみ、安全に高電圧を印加してナノサイズの帯電微粒子水を浴室内に放出して効果的に浴室内における臭いの除去とカビの発生防止ができるものである。
【発明を実施するための最良の形態】
【００１６】
以下、本発明を添付図面に示す実施形態に基いて説明する。
【００１７】
浴室１には静電霧化装置２が配設してあり、静電霧化装置２は例えば浴室１の壁１０に取付けてあるが、浴室１内にナノサイズの帯電微粒子水（ナノサイズのミスト）を浴室内に放出できれば特に、壁１０に取付けるもののみ限定されない。また、本発明においては静電霧化装置２を乾燥させるための乾燥手段３が設けてあるが、この乾燥手段３としては、浴室１に備えられている換気装置５が乾燥手段３を構成する場合、あるいは静電霧化装置２にヒータや温風発生装置を設けてこれらヒータや温風発生装置により乾燥手段３を構成する場合とがある。いずれにしても、静電霧化装置２の運転は乾燥手段３の運転よりも遅延して運転開始されるように制御されるものであり、乾燥手段３により静電霧化装置２を乾燥した後に、静電霧化装置２の運転が行なわれるようになっている。
【００１８】
図１、図２、図４乃至図６には静電霧化装置２が示してあり、この静電霧化装置２は図４に示すように本体ケース１１、本体ケース１１を覆う化粧カバー１２、化粧カバー１２に設けた放電ユニット嵌め込み用開口部２１から本体ケース１１に着脱自在に嵌め込まれる放電ユニット１４により構成してある。
【００１９】
本体ケース１１は前面上部が放電ユニット１４を嵌め込んで保持するための放電ユニット取付け部１５となり、本体ケース１１内部に高電圧を印加するための高電圧発生部４０や制御部４やリードスイッチ１１を内装した収納部１６となっており、この収納部１６は水密空間よりなる密閉構造となっており、外部から内部に水が浸入しないようになっている。収納部１６の前面には静電霧化装置２の電源を手でオン、オフするための電源スイッチ１７が設けてある。放電ユニット取付け部１５の奥部の両側にはそれぞれ高電圧発生部４０の給電側端子１９、接地側端子２０が設けてある。また、リードスイッチ１１は、上記水密空間よりなる収納部１６の放電ユニット取付け部１５の奥に対応する部分に収納してあり、該リードスイッチ１１がオンとなることで高電圧発生部４０からの高電圧を供給し、オフになることで高電圧の供給を停止したりするようになっている。
【００２０】
高電圧発生部４０の給電側端子１９は、放電ユニット１４への電力供給と、放電ユニット１４を位置決め固定する機能とを併せ持っており、また、高電圧発生部４０の接地側端子２０は、放電ユニット１４の接地側への接続と、放電ユニット１４を位置決めする機能とを併せ持っている。これら給電端子１９及び接地側端子２０、本体ケース１１に設けた水密空間により構成された収納部１６の外部に突出して配置されると共に、給電側端子１９、接地側端子２０の周囲に収納部１６の水密性を保つための防水ゴム７１をインサート成形により取り付けてある。この防水ゴム７１は、図２に示すように、収納部１６のゴム取付孔７２を挿通し且つゴム取付孔７２の表面側に突出するつば部７３、ゴム取付孔７２の後側に突出する抜け止め部７５がそれぞれ連設されており、高電圧発生部４０の給電側端子１９、接地側端子２０をそれぞれ防水ゴム７１によって水密保持しながら、給電側端子１９、接地側端子２０を水密空間よりなる収納部１６の外部に突出配置できるようになっている。
【００２１】
さらに上記高電圧発生部４０の給電側端子１９、接地側端子２０はそれぞれカール形状に形成されると共に、外力による給電側端子１９、接地側端子２０の過剰な変形を防止するためのストッパー部７６を備えている。ここでは、給電側端子１９、接地側端子２０の先端を後方に折り返してカール形状部７７とし、このカール形状部７７の先端エッジ７７ａを給電側端子１９、接地側端子２０の基部に対してそれぞれ略直交方向に対向配置させてあり、給電側端子１９、接地側端子２０の基部が給電側端子１９、接地側端子２０の過剰な変形を防止するためのストッパー部７６として兼用している。従って、放電ユニット１４を本体ケース１１から取り外した際に、給電側端子１９、接地側端子２０が露出しても、給電側端子１９、接地側端子２０はカール形状をしているので、給電側端子１９、接地側端子２０の先端エッジ７７ａで指をケガするおそれがなく、安全性を確保できる。また放電ユニット１４を本体ケース１１に装着する際に、放電ユニット１４の電極側端子２８、２９が高電圧発生部４０の給電側端子１９、接地側端子２０のカール形状部７７に片当たりするが、このとき、仮りにカール形状部７７に対して矢印イ、ロ方向に過大な外力がかかっても、ストッパー部７６によってカール形状部７７が過剰に変形するのを防止できるようになる。また、指でカール形状部７７が引っ張られたり、矢印イ、ロ方向に押されたりする場合、ストッパー部７６によって過剰な変形を防止できるようになる。従って、高電圧発生部４０の給電側端子１９、接地側端子２０と放電ユニット１４の電極側端子２８、２９間で接触不良が起こる心配がなく、放電ユニット１４の動作の安定化を図ることができると共に、放電ユニット１４の長寿命化を図ることができる。また本例では、カール形状部７７の先端エッジ７７ａを給電側端子１９、接地側端子２０の基部に対向配置し、この基部をカール形状部７７の過剰な変位を防止するストッパー部７６としているので、高電圧発生部４０の給電側端子１９、接地側端子２０自体がストッパー部７６として機能することとなり、専用のストッパー部を別途設ける必要がなくなり、部品数の増加を防止できる利点もある。
【００２２】
化粧カバー１２は本体ケース１１の前面部を覆うように本体ケース１１に取付けられるものであり、化粧カバー１２の前面上部には放電ユニット取付け部１５と連通する放電ユニット嵌め込み用開口部２１が設けてあり、更に、化粧カバー１２の前面下部には電源スイッチ１７が露出するための開口２２が設けてある。また、化粧カバー１２の上面部には放出口２３が設けてある。
【００２３】
放電ユニット１４は、図１、図２、図４乃至図７に示すように、水のような液を溜める液溜め部２４と、液溜め部２４より液を搬送する多孔質材からなる搬送部２５と、搬送部２５による液の搬送方向に対向するように配置された対向電極２６と、液溜め部２４から搬送部２５の対向電極２６側先端に至る経路中の液に電圧を印加するための液印加電極２７と、対向電極２６、液印加電極２７にそれぞれ接続された電極側端子２８、２９と、前カバー板３０とで構成してある。このように高電圧発生部４０を内装した本体ケース１１から、液溜め部２４、搬送部２５、対向電極２６、液印加電極２７を有する放電ユニット１４を取り外すこと放電ユニット１４に設けた液溜め部２４に水のような液を簡単に供給できるようにするためであり、これにより別途、液溜め部２４に水のような液を供給するための供給タンクを組み込む必要がなく、装置をコンパクト化できるようになっている。
【００２４】
ここで、上記放電ユニット１４は図５（ｂ）に示すように、前カバー板３０を前面に設けた水のような液を溜めるための液溜め部２４となる容器と、ユニット本体１８とに分離できるように構成してあって、放電ユニット１４を本体ケース１１から取外し、更に液溜め部２４となる容器をユニット本体１８から分離することで、液溜め部２４に水のような液を容易に供給できるものである。
【００２５】
前カバー板３０は液溜め部２４を構成する容器の前面に設けてあり、該前カバー板３０には液溜め部２４内の液面を目視で確認するための液面確認用窓３１が設けてあり、更に前カバー板３０の上部には前面通気用開口部３２が設けてある。また、液溜め部２４を構成する容器の後側面部には図７（ａ）に示すように、磁石収納凹所６１を形成してあり、この磁石収納凹所６１内に磁石４４を収納し、更に、収納凹所６１の開口部を密閉蓋６２により蓋をして熱溶着等により図７（ｂ）のように密閉的に閉じてある。したがって磁石４４は液溜め部２４に水密的に内装された状態となり、水に触れないようになっている。
【００２６】
ユニット本体１８の主体は絶縁部材により形成してあり、この絶縁部材により構成したユニット本体１８にカーボンのような導電材を混入した合成樹脂やＳＵＳのような金属で形成した対向電極２６、液印加電極２７を装着してこの対向電極２６や液印加電極２７の周囲を上記ユニット本体１８を構成する絶縁材料で覆ってあり、該絶縁材料の一部に上記電極側端子２８や電極側端子２９が露出している。また、搬送部２５は多孔質セラミック、多孔質金属等の多孔質材で棒状に形成してあり、棒状の搬送部２５の上端は針状に尖った針状霧化部となっている。この棒状の搬送部２５は、１乃至複数本液印加電極２７に取付けられ、搬送部２５の上部が液印加電極２７よりも上方に突出し、下部が液印加電極２７から下方に突出して上記液溜め部２４内に入れられた液と接触するようになっている。そして、ユニット本体１８を液溜め部２４に着脱自在に取付けることができるようになっており、図５（ａ）のように放電ユニット１４を放電ユニット取付け部１５から取外した状態で、図５（ｂ）のようにユニット本体１８を液溜め部２４から取り外すことで液溜め部２４に水のような液を入れることができるようになっている。
【００２７】
上記のような構成の放電ユニット１４は図４のように化粧カバー１２の放電ユニット嵌め込み用開口部２１から放電ユニット取付け部１５に嵌め込んで取付けるものであり、嵌め込んで取付けた状態で、放電ユニット取付け部１５の奥部の両側にそれぞれ設けられた給電側端子１９、接地側端子２０に放電ユニット１４の両側に設けた電極側端子２８、２９が電気的に接続すると共に、液溜め部２４を構成する容器の後側面部に設けた磁石４４により本体ケース１１の放電ユニット取付け部１５の奥部に対応する位置に設けたリードスイッチ４１がオンとなって高電圧発生部４０から高電圧が供給されるようになっている。一方、放電ユニット取付け部１５から放電ユニット１４を取り外すと、リードスイッチ４１がオフになって高電圧発生部４０からの高電圧の供給が停止されるようになっており、これにより、放電ユニット１４を取り外した状態で、放電ユニット取付け部１５内の奥部にある給電側端子１９、接地側端子２０に指を触れたり、他の物を差し入れて触れたりしても感電などの危険がないようにしてある。したがって、本実施形態においては、リードスイッチ４１と磁石４４により、放電ユニット取付け部１５への放電ユニット１４の着脱状態を認識して放電ユニット１４が放電ユニット取付け部１５に取付けられた状態で高電圧発生部４０から高電圧を供給し且つ放電ユニット１４が放電ユニット取付け部１５から外れた状態で高電圧発生部４０からの高電圧の供給を停止する着脱認識部６０を構成している。
【００２８】
しかして、放電ユニット１４の取外しを着脱認識部６０により認識して高電圧発生部４０からの高電圧の供給を停止することで、放電ユニット取付け部１５に露出する給電側端子１９、接地側端子２０に手や指を触れても安全であり、また、取り外した状態で水がかかったり、結露水の発生により給電側端子１９、接地側端子２０間が短絡することがない。
【００２９】
一方、放電ユニット１４を放電ユニット取付け部１５に嵌め込んでリードスイッチ４１がオンになって高電圧発生部４０から高電圧が供給て対向電極２６と液印加電極２７に高電圧が印加されると、多孔質材で形成されている搬送部２５が毛細管現象により液溜め部２４に入れてある液を吸い上げている時、搬送部２５の上端の針状霧化部が液印加電極２７側の実質的な電極として機能する。高電圧発生部４０は、低電圧電流（例えば５〜３０ｖ）を高電圧電流（例えば、３〜７ｋｖ）に昇圧するようになっている。
【００３０】
そして、高電圧発生部４０により実質的な電極として機能する搬送部２５の上端と対向電極２６との間に高電圧を印加することで、搬送部２５の先端の針状部に達した水はここでレイリー分裂を起こしてナノメータサイズの粒子径のミスト（例えば１０〜３０ナノメータ）となる霧化を生じさせる静電霧化がなされ、化粧カバー１２の上面部の放出口２３から浴室１内に放出される。このようにして発生して浴室１内に放出された帯電微粒子水（ナノサイズのミスト）はラジカルを含有する上に粒子径がナノメータサイズであるために、空気中に放出された時の寿命が長くて拡散性が大であり、浴室１内の壁面、あるいは、浴室１内の入浴用品、シャワーヘッド、シャワーホース、腰掛けなどの付着臭いを効率良く且つ効果的に消臭することができ、また、細菌、カビ菌、ウイルスなどに対しても効果的に作用し、不活性化することができ、特に、浴室１内における空気中及び壁等に付着したカビの除去及び抗カビ効果という作用があり、浴室１内におけるカビの発生を効果的に防止することができる。ここで、静電霧化装置２により発生するナノサイズのミストを浴室１に放出する本発明においては、従来のイオン発生装置により発生したイオンを浴室１に放出するものに比べて、滞空時間が１５分〜３０分程度と長く、浴室１内の隅々までナノサイズのミストが拡散し飛散して、浴室１内における脱臭、カビ発生防止を効果的に行なうことができるようになっている。
【００３１】
次に、乾燥手段３について詳述する。
【００３２】
図３に示す実施形態においては、乾燥手段３としては浴室１に備えられている換気装置５で乾燥手段３を構成した例を示している。
【００３３】
換気装置５は、浴室１の天井部に取付けられ、該換気装置５は図９に示すように、浴室１からの排気が入る流入部３３と、換気装置５に流入した排気を外部（屋外）に排気するための排気部３４と、換気装置５に流入した排気の一部を浴室１内に返送するための返送部３５と、流入部３３から換気装置５内に流入した排気を全部排気部３４から排気するか、流入部３３から換気装置５内に流入した排気の一部を排気部３４から排気すると共に他の一部を返送部３５から浴室１内に再び戻すように切換えるための切換え部３６と、ファン３７、返送される排気の一部を加熱自在とした加熱手段６と、ファン３７の制御や切換え部３６の切換え制御や加熱手段６の制御を行うための換気装置用制御部３８とを備えている。
【００３４】
該換気装置５は、少なくとも、カビシャット運転モード、乾燥運転モード、連続換気単独運転モードを有している。カビシャット運転モードには、図９に示すように、静電霧化装置２の電源スイッチ１７がオンとなっている場合に換気装置５と静電霧化装置２とが連動して運転されるカビシャット連動運転モードと、静電霧化装置２の電源スイッチ１７がオフとなっている場合に換気装置５のみが単独で運転されるカビシャット単独運転モードがある。また、乾燥運転モードには、図１０に示すように、静電霧化装置２の電源スイッチ１７がオンとなっている場合に換気装置５と静電霧化装置２とが連動して運転される乾燥連動運転モードと、静電霧化装置２の電源スイッチ１７がオフとなっている場合に換気装置５のみが単独で運転される乾燥単独運転モードがある。また、連続換気単独運転モードは、静電霧化装置２の電源スイッチ１７のオン、オフに関係なく換気装置５のみが単独で連続運転するモードである。
【００３５】
脱衣室３９にはリモコン装置７が設けてあり、該リモコン装置７と換気装置５とは図８に示すように、通信を行うための有線の通信路でつながっており、該通信路の途中に、静電霧化装置２の制御部４が接続してある。この制御部４には図８に示すように高電圧発生部４０、リードスイッチ４１、電源スイッチ１７、ＬＥＤ表示部等が接続してある。
【００３６】
制御部４には信号遮断／通過回路８ａ、信号出力回路８ｂよりなる信号経路切換え手段８が設けてある。すなわち、リモコン装置７と換気装置５とを接続する通信路は、リモコン装置７と換気装置５との間で通信を行うために常時且つ静電霧化装置２に関係なくつながっているが、静電霧化装置２の制御部４に設けたマイコン４ａからリモコン装置７に信号を伝える際だけ信号経路切換え手段８により換気装置５からのリモコン装置７への通信を一時的に遮断して静電霧化装置２からリモコン装置７に信号を送るように構成してある。静電霧化装置２の制御部４に設けたマイコン４ａからリモコン装置７に信号を伝えない時は、リモコン装置７と換気装置５との間で通信を行うために常時且つ静電霧化装置２に関係なくリモコン装置７と換気装置５とがつながっており、したがって、例えば、施工上の問題や故障等により静電霧化装置２の電源が遮断されている場合や、静電霧化装置２の制御部４側の通信回路が故障していたり、あるいは静電霧化装置２の電源スイッチ１７がオフとなっている時、静電霧化装置２側に関係なく、信号経路切換え手段８はリモコン装置７と換気装置５との間で信号がやり取りできるように接続され、リモコン装置７により換気装置５の単独運転が可能となっている。
【００３７】
そして、静電霧化装置２の制御部４に設けたマイコン４ａにはリモコン装置７と換気装置５との間で常時行っている通信のうち同通信を一時的に遮断して静電霧化装置２からリモコン装置７への信号に切換えるタイミングを決める切換えタイミング決定手段が設けてあり、タイミング決定手段で決定されたタイミングで信号経路切換え手段８を切換えて換気装置５からのリモコン装置７への信号を一時的に遮断して静電霧化装置２からのリモコン装置７に信号を送信するようになっている。
【００３８】
ここで、静電霧化装置２からの送信のタイミングは、換気装置５からリモコン装置７に送信されるスタートビット、データビット、ストップビットよりなる信号の１セットの終了をタイミング決定手段により認識することで決定されるものであり、これにより、換気装置５からの１セット分の信号がリモコン装置７に正確に送られたのを確認してからはじめて、静電霧化装置２からリモコン装置７に信号が送られることになって、換気装置５からリモコン装置７に正確に情報を送りながら、且つ、静電霧化装置２からリモコン装置７に信号を送ることができるようになっている。
【００３９】
リモコン装置７には複数の操作スイッチ９が設けてあり、複数の操作スイッチ９としては少なくとも、カビシャット用の操作スイッチ９ａと、乾燥用の操作スイッチ９ｂと、連続換気用の操作スイッチ９ｃとを備えている。
【００４０】
カビシャット用の操作スイッチ９ａをオン操作すると、リモコン装置７から換気装置５を経て静電霧化装置２に電源が入っているかという問い合わせ信号が静電霧化装置２の制御部４のマイコン４ａに入力され、静電霧化装置２の電源スイッチ１７がオンになっていると、信号経路切換え手段８が切換えられて電源オンの信号が静電霧化装置２からリモコン装置７に送られ、この信号を受けてリモコン装置７から換気装置５の制御部にカビシャット連動運転モードで換気装置５を運転するための運転信号が送られると共に該換気装置５を介して静電霧化装置２の制御部４のマイコン４ａにカビシャット連動運転モードにより静電霧化装置２を運転するための運転信号が送られ、該運転信号に基いて、換気装置５がカビシャット連動運転モードで運転されると共に、静電霧化装置２がカビシャット連動運転モードで運転される。
【００４１】
このカビシャット連動運転モードによる運転は、図１０に示すように、まず、換気装置５によりファン３７を強運転すると共に切換え部３６を図９（ａ）のように流入部３３から換気装置５内に流入した排気を全部排気部３４に排気するように切換え制御して換気運転を行う（この間、静電霧化装置２は運転を行わない）ことで、浴室１のドアの隙間などから脱衣室内の空気を浴室１内に吸い込むと共に浴室１内の空気を換気装置５に吸い込み排気部３４から外部に排気して、浴室１内及び換気装置５を換気し、この換気運転を１時間行った後、換気装置５の運転を排気・循環運転に自動的に切換えて運転すると共に、静電霧化装置２により静電霧化運転を行う。上記排気・循環運転はファン３７を強運転すると共に切換え部３６を図９（ｂ）のように流入部３３から換気装置５内に流入した排気の一部を排気部３４から外部に排気すると共に排気の他の一部を返送部３５から浴室１内に再び戻すように切換え制御する。これにより、浴室１のドアの隙間などから脱衣室内の空気を浴室１内に吸い込むと共に浴室１内の空気を換気装置５に吸い込み、排気の一部を外部に排気すると共に、他の一部を浴室１内に返送して浴室１内で循環させる運転となる。
【００４２】
このように、換気装置５の運転開始から１時間遅延して静電霧化装置２の運転を行うことで、浴室１内に配置した静電霧化装置２の対向電極２６、液印加電極２７に付着している水が乾燥され、安定して且つ安全に静電霧化ができることになる。しかも、静電霧化装置２の運転に先だって換気装置５を換気運転することで、換気装置５を始めから換気・循環運転する場合に比べて静電霧化装置２の乾燥が効果的に行え、乾燥後に静電霧化装置２を運転する際には換気装置５の運転を排気・循環運転に切換えることで、浴室１内に放出されたナノサイズのミストが換気装置５により排気される際、排気の一部を再び浴室１に戻して循環させることで、ナノサイズのミストが外部に排出されにくく、浴室１内を乾燥させながら、ナノサイズのミストを浴室１内の隅々まで循環させて、活性種を含有するナノサイズのミストにより浴室内の空気の脱臭及び室内壁面等に付着した臭いを除去し、更に、カビの発生を効果的に防止することができるものである。
【００４３】
換気装置５による上記排気・循環運転は、静電霧化装置２の運転が終了した後、遅延させ（例えば５分遅延させ）て排気・循環運転を終了するように制御されるようになっている。つまり、静電霧化装置２でナノサイズのミストを発生させる際に、オゾンが発生する可能性があるが、静電霧化装置２の運転の運転の終了よりも遅延して排気・循環運転が終了するように制御することで、発生したオゾンを浴室１から外部に排出することができ、上記カビシャットモードの運転後に、浴室１内を入浴のために利用する際、浴室１内にオゾンが残留して、入浴する人にオゾンによる悪影響を与えないようにしている。
【００４４】
ところで、上記のように換気装置５をまずファン３７の強運転による換気運転で１時間運転し、その後、換気装置５の運転を排気・循環運転に切換えて運転するに当たり、浴室１内の湿度や温度をセンサ（図示せず）により検出し、この湿度や温度の検出結果に基き、湿度が高い場合など、加熱手段６をオンにして排気・循環運転の初期に加熱手段６によって排気の一部を加熱して浴室１内に返送すると共にその後の排気・循環運転においては加熱手段６をオフにして排気の一部を浴室１内に返送するように制御したり、あるいは、湿度や温度の検出結果に基き、湿度が低い場合など、加熱手段６をオフにして排気・循環運転を加熱することなく冷風の状態で浴室１内に返送するように制御するものである。
【００４５】
これにより、静電霧化装置２、浴室１内をより効果的に乾燥できて、浴室１内が高湿度の場合であっても対応できるものであり、また、加熱排気を返送して浴室１内の湿度が低下すると加熱手段６をオフにして排気の一部を浴室１内に返送するので、少ないエネルギーコストで効果的に静電霧化装置２を乾燥し且つナノサイズのミストを浴室１内の隅々まで飛散させて効果的に浴室内の臭い除去、カビの発生防止を行うことができるものである。
【００４６】
一方、静電霧化装置２の電源スイッチ１７がオフの時に、カビシャット用の操作スイッチ９ａをオン操作すると、リモコン装置７から換気装置５を経て静電霧化装置２に電源が入っているかという問い合わせ信号が静電霧化装置２の制御部４のマイコン４ａに入力されるが、静電霧化装置２に電源が入っていないので、信号経路切換え手段８が切換えられることがなくて電源オンの信号が静電霧化装置２からリモコン装置７に送られることはなく、したがって、この場合はリモコン装置７から換気装置５の制御部にカビシャット単独運転モードで換気装置５を運転するための運転信号が送られる。
【００４７】
このカビシャット単独運転モードによる運転は、まず、図１０に示すように、換気装置５のファン３７を強運転すると共に切換え部３６を図９（ａ）のように流入部３３から換気装置５内に流入した排気を全部排気部３４に排気するように切換えるように制御して換気運転を１時間行って浴室１内の乾燥を行い、１時間経過後に、換気装置５の運転を切換え部３６はそのままにしてファン３７を弱運転にして換気運転する。ここで、換気装置５をまず換気運転で１時間強運転し、その後、換気装置５の運転を換気弱運転に切換えて運転するに当たり、浴室１内の湿度や温度をセンサ（図示せず）により検出し、この湿度や温度の検出結果に基き、湿度が高い場合など、加熱手段６をオンにして１時間の換気強運転の後に加熱手段６をオフにして排気の一部を浴室１内に返送する排気・循環運転を一定時間行い、その後、換気弱運転に切換えるようにしてもよい。
【００４８】
次に、乾燥用の操作スイッチ９ｂをオン操作すると、リモコン装置７から換気装置５を経て静電霧化装置２に電源が入っているかという問い合わせ信号が静電霧化装置２の制御部４のマイコン４ａに入力され、静電霧化装置２の電源スイッチ１７がオンとなっていると、信号経路切換え手段８が切換えられて電源オンの信号が静電霧化装置２からリモコン装置７に送られ、この信号を受けてリモコン装置７から換気装置５の制御部に乾燥連動運転モードで換気装置５を運転するための運転信号が送られると共に該換気装置５を介して静電霧化装置２の制御部４のマイコン４ａに乾燥連動運転モードにより静電霧化装置２を運転するための運転信号が送られ、該運転信号に基いて、換気装置５が乾燥連動運転モードで運転されると共に、静電霧化装置２が乾燥連動運転モードで運転される。
【００４９】
この乾燥連動運転モードによる運転は、浴室１内に洗濯物を干して乾燥させる際の運転であり、図１１に示すように、まず、換気装置５によりファン３７を強運転すると共に、切換え部３６を図９（ｂ）のように流入部３３から換気装置５内に流入した排気の一部を排気部３４から外部に排気すると共に排気の他の一部を返送部３５から浴室１内に再び戻すように切換えるように制御し、更に加熱手段６をオンにすることで、排気の一部を加熱して浴室１内に返送しながら浴室１内を乾燥する排気・循環運転を行うことで、浴室１内及び換気装置５の乾燥を行う。この排気の一部を加熱して浴室１内に返送しながら浴室１内を乾燥する排気・循環運転を１５分行った後、上記換気装置５の排気・循環運転に連動して静電霧化装置２の静電霧化運転を行う。
【００５０】
このように、排気の一部を加熱して浴室１内に返送しながら浴室１内を乾燥する排気・循環運転を行うことで浴室１、静電霧化装置２の乾燥を短時間で行うことができ、更に、排気の一部を加熱して浴室１内に返送しながら浴室１内を乾燥する排気・循環運転を１５分行った後に、該排気の一部を加熱して浴室１内に返送しながら浴室１内を乾燥する排気・循環運転と連動して静電霧化装置２により浴室１内にナノサイズのミストを放出することで、浴室１内に放出されたナノサイズのミストが換気装置５により排気される際、排気の一部を加熱して再び浴室１に戻して循環させることで、ナノサイズのミストが外部に排出されにくく、浴室１内を乾燥させながら、加熱された温度の高い循環空気流に乗ってナノサイズのミストを浴室１内の隅々まで循環させて、活性種を含有するナノサイズのミストにより浴室内の空気の脱臭、室内壁面等に付着した臭いの除去、浴室１内で乾燥させている洗濯物の臭いを除去し、更に、浴室１内におけるカビの発生、洗濯物のカビの発生を効果的に防止することができるものである。
【００５１】
換気装置５による上記排気・循環運転は、静電霧化装置２の運転が終了した後、遅延させ（例えば５分遅延させ）て排気・循環運転を終了するように制御されるようになっている。
【００５２】
一方、静電霧化装置２の電源スイッチ１７がオフの時に、乾燥用の操作スイッチ９ｂをオン操作すると、リモコン装置７から換気装置５を経て静電霧化装置２に電源が入っているかという問い合わせ信号が静電霧化装置２の制御部４のマイコン４ａに入力されるが、静電霧化装置２の電源が入っていないので、信号経路切換え手段８が切換えられることがなくて電源オンの信号が静電霧化装置２からリモコン装置７に送られることはなく、したがって、この場合はリモコン装置７から換気装置５の制御部に乾燥単独運転モードで換気装置５を運転するための運転信号が送られる。
【００５３】
この乾燥単独運転モードによる運転は、浴室１内に洗濯物を干して乾燥させるための運転であり、図１１に示すように、換気装置５によりファン３７を強運転すると共に、切換え部３６を図９（ａ）のように流入部３３から換気装置５内に流入した排気の一部を排気部３４から外部に排気すると共に排気の他の一部を返送部３５から浴室１内に再び戻すように切換えるように制御し、更に加熱手段６をオンにすることで、排気の一部を加熱して浴室１内に返送しながら浴室１内を乾燥する排気・循環運転を行うことで、浴室１内及び換気装置５の乾燥を行う。
【００５４】
また、連続換気用の操作スイッチ９ｃをオン操作すると、換気装置５のみが連続換気運転で運転される。この連続換気運転は切換え部３６を図９（ａ）のように流入部３３から換気装置５内に流入した排気を全部排気部３４に排気するように切換えるように制御すると共にファン３７を弱運転する。これにより浴室１のドアの隙間などから脱衣室内の空気を浴室内に吸い込むと共に浴室１内の空気を換気装置５から外部に排気する運転を連続して行う。この場合、静電霧化装置２の電源スイッチ１７がオンとなっていても換気装置５のみが連続換気運転を行い、この場合、静電霧化装置２は運転しない。
【００５５】
ところで、連続換気用の操作スイッチ９ｃをオンにして連続換気運転で運転している最中に、カビシャット用の操作スイッチ９ａや乾燥用の操作スイッチ９ｂをオン操作すると、連続換気運転が中断されて、上記したカビシャットモードや乾燥モードの運転に切換えられ、カビシャットモードや乾燥モードの運転がタイマー等により終わると、再び連続換気運転に自動的に切替るようになっている。
【００５６】
ここで、リモコン装置７に追加運転用のスイッチ９ｄを設け、この追加運転用のスイッチ９ｄを操作することで、タイマー等で終了時期が決められる上記カビシャットモードや乾燥モードの本来の運転終了時間後に更に、カビシャットモードや乾燥モードでの運転を所定時間継続できるようにしている。これにより、カビシャットモードや乾燥モードでの運転から、入浴までの間の時間が長い場合等、浴室１内を継続して乾燥させることができ、カビの発生防止を図ることができるものである。
【００５７】
ところで、対向電極２６、静電霧化装置２の内部の液印加電極２７を配置した部分は静電霧化装置２の上面の放出口２３と、前面の前面通気用開口部３２とで外部に連通しており、上記のように乾燥手段３を浴室１の換気をする換気装置５により構成すると、換気装置５の運転で浴室１を流れる空気流が、放出口２３→静電霧化装置２の内部の液印加電極２７を配置した部分→前面通気用開口部３２という流れ、又は、前面通気用開口部３２→静電霧化装置２の内部の液印加電極２７を配置した部分→放出口２３という流れとなって、静電霧化装置２の内部の液印加電極２７を配置した部分を効果的に乾燥できるものである。
【図面の簡単な説明】
【００５８】
【図１】同上の静電霧化装置の縦断面図である
【図２】同上の静電霧化装置の平断面図である。
【図３】本発明の概略斜視図である。
【図４】同上に用いる静電霧化装置の斜視図である。
【図５】（ａ）は同上の放電ユニットを取り外した状態の斜視図であり、（ｂ）は更に液溜め部を取り外した状態の斜視図である。
【図６】同上の静電霧化装置の分解斜視図である。
【図７】（ａ）は同上の放電ユニットの背方から見た一部分解斜視図であり、（ｂ）は放電ユニットの背方から見た斜視図である。
【図８】同上の制御ブロック図である。
【図９】（ａ）（ｂ）は同上の換気装置における切換え部の切換えを示す説明図である。
【図１０】同上のカビシャット運転モードについての説明図である。
【図１１】同上の乾燥運転モードについての説明図である。
【符号の説明】
【００５９】
１  浴室
２  静電霧化装置
１１  本体ケース
１４  放電ユニット
１９  給電側端子
２０  接地側端子
２４  液溜め部
２５  搬送部
２６  対向電極
２７  液印加電極
２８  電極側端子
２９  電極側端子
４０  高電圧発生部
４１  リードスイッチ
４４  磁石
６０  着脱認識部
【図１】
2005226947.tif 000003
【図２】
2005226947.tif 000004
【図３】
2005226947.tif 000005
【図４】
2005226947.tif 000006
【図５】
2005226947.tif 000007
【図６】
2005226947.tif 000008
【図７】
2005226947.tif 000009
【図８】
2005226947.tif 000010
【図９】
2005226947.tif 000011
【図１０】
2005226947.tif 000012
【図１１】
2005226947.tif 000013